(57)【要約】 【目的】  頭部に回転運動を与え、からだを動かす運動時に頭が揺れ動くことや、スキー等の一定方向に傾斜させた運動時にからだの揺れ動きが極力少なくなるように矯正してスポーツ選手の運動能力の増強に寄与すると共にスポーツ選手以外の一般人である大衆の腰痛や肩こり等の治療に好適な回転訓練装置の提供。【構成】  静止プラットホーム１と、その中央円孔部１７にある回転板２と、その回転板２を回転駆動させるモータ３と、モータ３の回転速度を制御する制御操作体４とを備えた回転訓練装置体１８に於いて回転板２の上面部５を平坦面とすると共に回転板２の中央面部６に直立した状態で載置した被訓練者が把持可能な把持部７を備えた立設杆体８を設け、更に回転板２の周縁部９に被訓練者の出入口部１０を有した円筒状保護枠体１１を具備したことを特徴としている。【選択図】                  図１
2006167098.tif 000002
【特許請求の範囲】
【請求項１】
静止プラットホーム１と、その中央円孔部１７にある回転板２と、その回転板２を回転駆動させるモータ３と、モータ３の回転速度を制御する制御操作体４とを備えた回転訓練装置体１８に於いて回転板２の上面部５を平坦面とすると共に回転板２の中央面部６に直立した状態で載置した被訓練者が把持可能な把持部７を備えた立設杆体８を設け、更に回転板２の周縁部９に被訓練者の出入口部１０を有した円筒状保護枠体１１を具備したことを特徴とする回転訓練装置
【請求項２】
静止プラットホーム１と、その中央円孔部１７にある回転板２と、その回転板２を回転駆動させるモータ３と、モータ３の回転速度を制御する制御操作体４とを備えた回転訓練装置体１８に於いて回転板２の上面部５を平坦面とすると共に回転板２の中央面部６と間隙部１２を設けて被訓練者が腰掛け可能な腰掛け面部１３を備えた椅子体１４を設け、更に椅子体１４に被訓練者を固定するベルト体１５を具備したことを特徴とする回転訓練装置
【発明の詳細な説明】
【技術分野】
【０００１】
この発明は、頭部に回転運動を与え、からだを動かす運動時に頭が揺れ動くことや、スキー等の一定方向に傾斜させた運動時にからだの揺れ動きが極力少なくなるように矯正してスポーツ選手の運動能力の増強に寄与すると共にスポーツ選手以外の一般人である大衆の腰痛や肩こり等の治療に好適な回転訓練装置に関するものである。
【背景技術】
【０００２】
従来、優秀なスポーツ選手に共通する基本とはからだを動かす際に頭が揺れ動くことがない、又からだを動かす際に維持されるからだの軸、即ちスキー等の一定方向に傾斜させた場合にはその傾斜軸が妄りに揺れ動くことがないと言われ、又ゴルフや野球選手などにおいてクラブやバットを振る際に頭が揺れ動くことがないようにすることが球を確実に飛ばすことができると言われている。又、スポーツ選手以外の一般人である大衆の歩行中にからだが揺れ動くことは腰痛や肩こり等の原因になると言われている。
【０００３】
ところがスポーツ選手等で頭が揺れ動くことがないように改善するためには、天性を特訓によって向上を計る努力を最善の手段としており、それにより過剰の訓練、練習の結果、却って体調を悪くしている場合が多い。
【０００４】
又、従来、直立した状態のからだを回転させ、Ｏ脚を改善治療するための装置として回転台の上に乗り、その回転台を回転させてＯ脚を改善治療するようにした装置は知られているが、その装置では足を乗せる回転台の上面が摺鉢形の傾斜面となっていて足場が悪く回転台の上面に楽な姿勢で直立不動の状態を保持するは極めて苦痛であり、使用上極めて不便であると共に使い勝手が悪く、更に回転台の回転時に立つた状態の身体を安全に保持することができない等の欠点があった。
【特許文献１】特開平８−１２６６５４号公報
【発明の開示】
【発明が解決しようとする課題】
【０００５】
この発明は上記の問題点を解決したもので、極めて簡単な手段で頭部に回転運動を与え、からだを動かす運動時に頭が揺れ動くことや、スキー等の一定方向に傾斜させた運動時にからだの揺れ動きが極力少なるように矯正してスポーツ選手の運動能力の増強に寄与するにすると共にスポーツ選手以外の一般人である大衆の腰痛や肩こり等の治療に好適で使用勝手が良く便利な回転訓練装置を得ることを目的としたものである。
【課題を解決するための手段】
【０００６】
上記の目的を達成するためこの発明は、静止プラットホーム１と、その中央円孔部１７にある回転板２と、その回転板２を回転駆動させるモータ３と、モータ３の回転速度を制御する制御操作体４とを備えた回転訓練装置体１８に於いて回転板２の上面部５を平坦面とすると共に回転板２の中央面部６に直立した状態で載置した被訓練者１６が把持可能な把持部７を備えた立設杆体８を設け、更に回転板２の周縁部９に被訓練者の出入口部１０を有した円筒状保護枠体１１を具備したものである。
【０００７】
又、静止プラットホーム１と、その中央円孔部１７にある回転板２と、その回転板２を回転駆動させるモータ３と、モータ３の回転速度を制御する制御操作体４とを備えた回転訓練装置体１８に於いて回転板２の上面部５を平坦面とすると共に回転板２の中央面部６と間隙部１２を設けて被訓練者１６が腰掛け可能な腰掛け面部１３を備えた椅子体１４を設け、更に椅子体１４に被訓練者を固定するベルト体１５を具備したものである。
【発明の効果】
【０００８】
この発明は以上のような構成であり、静止プラットホーム１と、その中央円孔部１７にある回転板２と、その回転板２を回転駆動させるモータ３と、モータ３の回転速度を制御する制御操作体４とを備えた回転訓練装置体１８に於いて回転板２に乗り、モータ３の回転速度を制御する制御操作体４を介して回転板２を回転することによってからだの回転と共に頭部に回転に伴う刺激を与えて神経系統への血流の増加を促進して血行障害が起こることを押さえてスポーツ選手の運動能力の増強に寄与し、更に一般の被訓練者１６の使用に際しては血行障害による腰痛や肩こり等の治療に貢献するものである。
【０００９】
又、回転板２の上面部５を平坦面としたことによって被訓練者１６の足裏が回転板２の上面部５に安定良く触れて楽に直立することができるものである。
【００１０】
又、回転板２の中央面部６に直立した状態で載置した被訓練者が把持可能な把持部７を備えた立設杆体８を設けたことによって被訓練者１６は立設杆体８の把持部７を手で持つて立つことができて回転時に倒れることがなく安全である。
【００１１】
又、回転板２の周縁部９に被訓練者１６の出入口部１０を有した円筒状保護枠体１１を具備しので何らかの拍子で手が立設杆体８の把持部７より外れても被訓練者１６は直ちに円筒状保護枠体１１を持って被訓練者が回転板２外の静止プラットホーム１上に食み出し倒れることを阻止して極めて安全である。
【００１２】
又、静止プラットホーム１と、その中央円孔部１７にある回転板２と、その回転板２を回転駆動させるモータ３と、モータ３の回転速度を制御する制御操作体４とを備えた回転訓練装置体１８に於いて回転板２の上面部５を平坦面とすると共に回転板２の中央面部６と間隙部１２を設けて被訓練者１６が腰掛け可能な腰掛け面部１３を備えた椅子体１４を設けたことによって椅子体１４に腰掛けた状態でモータ３の回転速度を制御する制御操作体４を介して回転板２を回転することによってからだの回転と共に頭部に回転に伴う刺激を与えて神経系統への血流の増加を促進して血行障害が起こることを押さえてスポーツ選手の運動能力の増強に寄与し、更に一般の被訓練者１６の使用に際しては血行障害による腰痛や肩こり等の治療に貢献するものである。
【００１３】
又、椅子体１４に被訓練者１６を固定するベルト体１５を具備したものであるので被訓練者が椅子体１４より脱落離脱して回転板２外の静止プラットホーム１上に食み出し倒れることを阻止して極めて安全である。
【００１４】
以上のようにこの発明は極めて簡単な手段で極めて簡単な手段で頭部に回転運動を与え、からだを動かす運動時に頭が揺れ動くことや、スキー等の一定方向に傾斜させた運動時にからだの揺れ動きが極力少なるように矯正してスポーツ選手の運動能力の増強に寄与するにすると共にスポーツ選手以外の一般人である大衆の腰痛や肩こり等の治療に好適で使用勝手が良く便利である等の幾多の産業的作用効果を奏するものである。
【発明を実施するための最良の形態】
【００１５】
以下、この発明の実施の形態を図１〜図５に基いて説明する。
【実施例１】
【００１６】
この発明の実施例１を図１〜図３で説明するに、静止プラットホーム１と、その中央円孔部１７にある回転板２と、その回転板２を回転駆動させるモータ３と、モータ３の回転速度を制御する制御操作体４とを備えた回転訓練装置体１８に於いて回転板２の上面部５を平坦面とすると共に回転板２の中央面部６に直立した状態で載置した被訓練者１６が把持可能な把持部７を備えた立設杆体８を設け、更に回転板２の周縁部９に被訓練者の出入口部１０を有した円筒状保護枠体１１を具備したものであるが、制御操作体４は訓練補助者（図示せず）が操作できる位置に設置するものであって、制御操作体４の操作に伴い回転板２の回転を緩やかにスタートさせて、次第に所望のスピードに近付けて行き、所望のスピードを一定時間持続させ、回転板２の回転停止後は被訓練者１６は静止プラットホーム１上に移動するものである。
【００１７】
又、回転板２の回転は時計回り、反時計回りが制御操作体４を操作することでできるようにしたものであり、１分間に６０回転が出来るようにしたものであるが、その回転速度の調整も制御操作体４を操作することで出来るようにしたものであり、最初から回転速度を上げて回転すれば目が回る現象が起こるので体が回転速度になれるまでは回転速度を上げずに除除に回転速度を上げるようにするものである。
【００１８】
又、実験の結果では２分間を１単位といて２分間以上の回転は避け、休息時間を十分に採りながら１日に５〜７単位の回転訓練を行うことが望ましい。
【実施例２】
【００１９】
この発明の実施例２を図４〜図５で説明するに、静止プラットホーム１と、その中央円孔部１７にある回転板２と、その回転板２を回転駆動させるモータ３と、モータ３の回転速度を制御する制御操作体４とを備えた回転訓練装置体１８に於いて回転板２の上面部５を平坦面とすると共に回転板２の中央面部６と間隙部１２を設けて被訓練者が腰掛け可能な腰掛け面部１３を備えた椅子体１４を設け、更に椅子体１４に被訓練者１６を固定するベルト体１４を具備したものであるが、制御操作体４は訓練補助者（図示せず）が操作できる位置に設置するものであって、制御操作体４の操作に伴い回転板２の回転を緩やかにスタートさせて、次第に所望のスピードに近付けて行き、所望のスピードを一定時間持続させ、回転板２の回転停止後は被訓練者１６は静止プラットホーム１上に移動するものである。
【００２０】
又、椅子体１４を利用しての被訓練者１６は立った状態で訓練を行う実施例１における被訓練者１６に比して健康が幾分優れないもの又は老人等の被訓練者１６が利用するものであって、回転板２の回転は時計回り、反時計回りが制御操作体４を操作することでできるようにしたものであり、１分間に３５回転が出来るようにしたものであるが、その回転速度の調整も制御操作体４を操作することで出来るようにしたものであり、最初から回転速度を上げて回転すれば目が回る現象が起こるので体が回転速度になれるまでは回転速度を上げずに除除に回転速度を上げるようにするものである。
【００２１】
又、実験の結果では、休息時間を十分に採りながら１日に７分以下の回転訓練を行うことが望ましい。
【図面の簡単な説明】
【００２２】
【図１】この発明の実施例１における一部を縦断した正面図である。
【図２】この発明の実施例１における制御操作体を欠除した斜視図である。
【図３】この発明の実施例１におけ制御操作体を欠除すると共に使用状態を示した一部を切欠した側面図である。
【図４】この発明の実施例２における一部を縦断した正面図である。
【図５】この発明の実施例２におけ制御操作体を欠除すると共に使用状態を示した一部を切欠した側面図である。
【符号の説明】
【００２３】
１  静止プラットホーム
２  回転板
３  モータ
４  制御操作体
５  上面部
６  中央面部
７  把持部
８  立設杆体
９  周縁部
１０  出入口部
１１  円筒状保護枠体
１２  間隙部
１３  腰掛け面部
１４  椅子体
１５  ベルト体
１６  被訓練者
１７  中央円孔部
１８  回転訓練装置体
【図１】
2006167098.tif 000003
【図２】
2006167098.tif 000004
【図３】
2006167098.tif 000005
【図４】
2006167098.tif 000006
【図５】
2006167098.tif 000007